(57)【要約】【課題】ストレッチャーにおける背受と腰受と脚受の連動及び非連動機構の構成を簡単に提供すること。【解決手段】ボトムフレーム３上方に配設した背受４と腰受５と脚受６と切替部１１を、それぞれ回動可能に軸着し、該背受４のみ起こす場合には、該切替部１１に備えた切替プレート１１６の非連動溝１１６ａに該ボトムフレーム３の下切替ピン３８に係合させ、該背受４と該腰受５と該脚受６を連動させて起こす場合には、該切替プレート１１６の連動溝１１６ｂに該背受４の上切替ピン４４に係合させるように、切替ハンドル１１５を回動操作することによって該背受４と該腰受５と該脚受６の連動と非連動を簡単に切り替えることができるように構成した。【選択図】図９
2015061561.tif 000002
【特許請求の範囲】
【請求項１】
ストレッチャーにおける背受と腰受と脚受の連動及び非連動機構であって、ボトムフレーム上方に配設した該背受と該腰受と該脚受と切替部を、それぞれ回動可能に軸着し、該背受のみ起こす場合には、該切替部に備えた切替プレートの非連動溝に該ボトムフレームの下切替ピンに係合させ、該背受と該腰受と該脚受を連動させて起こす場合には、該切替プレートの連動溝に該背受の上切替ピンに係合させるように、切替ハンドルを回動操作することによって該背受と該腰受と該脚受の連動及び非連動を切り替えることができる構成にしたことを特徴とするストレッチャーの該背受と該腰受と該脚受の連動及び非連動機構。
【請求項２】
該切替部の該切替プレートに軸着したスプリングピンに、両端を円弧状に丸めたロックスプリングを挿通し、該切替部に軸着した該切替ハンドルを回動操作して、該切替プレートの該非連動溝もしくは該連動溝を、該下切替ピンもしくは該上切替ピンに係合させる時に、該ロックスプリングの一端を押圧しながら係合することにより操作感を出し、且つ、係合した後は容易に外れ難くしたことを特徴とした請求項１に記載のストレッチャーの該背受と該腰受と該脚受の連動及び非連動機構。
【発明の詳細な説明】
【技術分野】
【０００１】
本発明は、患者搬送用のストレッチャーにおける背受と腰受と脚受の連動及び非連動機構に関するものである。
【背景技術】
【０００２】
従来より、病院あるいは施設などで、患者などをベッドなどから所望の場所に搬送するにはストレッチャーが使用されている。
ストレッチャーには、患者などの起き上がりを楽にしたり、座位姿勢を安定したりするために背受を起こすことができるものがある。また、背受と腰受と脚受を連動させることで、背受を起こす動作と同時に腰受と脚受を起こして、患者などの座位姿勢の安定を向上させたもの、また、脚受を下げて椅子型に変形して車椅子として使用できるものなどが発明されている。
【０００３】
しかしながら、ストレッチャーの背受と腰受と脚受を連動及び非連動を簡単な構成で切替できるものは無く、背受のみ起こすストレッチャー、もしくは、背受と腰受と脚受が必ず連動するストレッチャーがほとんどであった。また、背受と腰受と脚受の連動及び非連動を実現出来ても、電力を動力源とした制御機器を利用しているものであるため、非常に高価なものであった。また、制御機器を利用することによる誤作動で思わぬ事故や怪我を招く恐れがあった。
【先行技術文献】
【特許文献】
【０００４】
【特許文献１】特許第３８１８５０２号公報
【０００５】
このベッド等における背膝ボトム連動制御方法は、予め設定された動作パターンに基づいて、所望の位置に背ボトムと背膝ボトムを連動制御できる制御方法について発明されている。
このベッド等における背膝ボトム連動制御方法によれば、リモコンスイッチや操作スイッチなどを介助者もしくは患者が操作することで、背ボトムと膝ボトムを任意の起伏状態から所望の姿勢に調節することができる。また、動作パターンを予め設定することで速やかな姿勢調節を可能にしている。
【０００６】
しかしながら、このベッド等における背膝ボトム連動制御方法で連動制御されたベッドやストレッチャーなどは電力を動力源とした制御機器を用いて所望の位置に背ボトムと膝ボトムを連動制御するので、制御機器を動作させることによるコストが常時かかってしまう。また、停電時など咄嗟の時に使用できない恐れがあることや、背ボトムと膝ボトムの姿勢調節も制御機器に任せた状態となり、誤作動が起こったときに患者などに怪我を負わせるなどの身体的負担をかけることに繋がる恐れがある。
【発明の概要】
【発明が解決しようとする課題】
【０００７】
本発明は、上述した問題点を解決するため、患者などの身体状況に応じて、ストレッチャーにおける背受と腰受と脚受の連動及び非連動機構の構成を簡単に提供することを課題としている。
【課題を解決するための手段】
【０００８】
請求項１の発明は、ストレッチャーにおける背受と腰受と脚受の連動及び非連動機構であって、ボトムフレーム上方に配設した該背受と該腰受と該脚受と切替部を、それぞれ回動可能に軸着し、該背受のみ起こす場合には、該切替部に備えた切替プレートの非連動溝に該ボトムフレームの下切替ピンに係合させ、該背受と該腰受と該脚受を連動させて起こす場合には、該切替プレートの連動溝に該背受の上切替ピンに係合させるように、切替ハンドルを回動操作することによって該背受と該腰受と該脚受の連動及び非連動を切り替えることができる構成にしたことを特徴としている、ストレッチャーの該背受と該腰受と該脚受の連動及び非連動機構。
【０００９】
請求項２の発明は、該切替部の該切替プレートに軸着したスプリングピンに、両端を円弧状に丸めたロックスプリングを挿通し、切替部に軸着した該切替ハンドルを回動操作して、該切替プレートの非連動溝もしくは連動溝を、下切替ピンもしくは上切替ピンに係合させる時に、該ロックスプリングの一端を押圧しながら係合することにより操作感を出し、且つ、係合した後は容易に外れ難くしたことを特徴とした請求項１に記載のストレッチャーの該背受と該腰受と該脚受の連動及び非連動機構。
【発明の効果】
【００１０】
請求項１の発明では、ストレッチャーにおける背受と腰受と脚受の連動及び非連動機構であって、ボトムフレーム上方に配設した該背受と該腰受と該脚受と切替部を、それぞれ回動可能に軸着し、該背受のみ起こす場合には、該切替部に備えた切替プレートの非連動溝に該ボトムフレームの下切替ピンに係合させ、該背受と該腰受と該脚受を連動させて起こす場合には、該切替プレートの連動溝に該背受の上切替ピンに係合させるように、切替ハンドルを回動操作することによって該背受と該腰受と該脚受の連動及び非連動を切り替えることができる構成にしたことにより、該操作ハンドルの回動操作ひとつで簡単に該背受と該腰受と該脚受の連動及び非連動の切り替えができるものとなっている。また、電力を動力源としない機構にすることによって、安価に提供することができる。
【００１１】
請求項２の発明では、該切替部の該切替プレートに軸着したスプリングピンに、両端を円弧状に丸めたロックスプリングを挿通し、切替部に軸着した該切替ハンドルを回動操作して、該切替プレートの非連動溝もしくは連動溝を、下切替ピンもしくは上切替ピンに係合させる時に、該ロックスプリングの一端を押圧することで操作感（クリック感）を出すこと及び押圧した後に該ロックスプリングが張力により元の状態に戻ることでストッパーの役目となり、容易に外れ難くすることができる。
【実施例１】
【００１２】
以下、本発明について、図１から図１０を参照して説明する。
まず、本発明におけるストレッチャーＳは、旋回自在なキャスター型車輪Ｃ，Ｃ，・・・を具備した下部フレーム１を備えている。そして、該下部フレーム１の上方に昇降機構２を介して、ボトムフレーム３を支持する構成としている。
そして、該ボトムフレーム３の上方に背受４と腰受５と脚受６と切替部１１を配設している。さらに、該背受４と該腰受５と該脚受６の上方に主に樹脂製のボトムボード７を、該ボトムボード７の上方に配設し、マット８を敷設することで患者などが横臥できるようにしている。
なお、図３に示すように該下部フレーム１の高さを低くするとともに、側面視において該ボトムフレーム３の側縁部下方に該昇降機構２を構成する部材が位置しないように空間を設けることで、ベッドなどに該ボトムフレーム３を重ねることができ、さらに、サイドレール９をベッドなどに水平に保持できるように構成することで患者などの乗せ替えをより安全に行うことができるものとなる。
【００１３】
本願では、背受４と腰受５と脚受６の連動及び非連動機構についての説明であるので、ストレッチャーＳの詳細な機能説明は省略し、主に、図４から図９に示すようにストレッチャーＳのボトムフレーム３より上の機構について説明する。また、外観向上のために図１ではカバー部材で各構成部品を覆っているが、説明を分かりやすくするために該カバー部材が取り付いていない状態で説明する。
【００１４】
ボトムフレーム３について説明する。
図４に示すように平面視において上下方向に平行に配設した下フレーム３１，３１に、左右方向に平行に配設した下ツナギ３２，３２及び該下フレーム３１，３１の一端に配設したエンドプレート３３を固着している。まず、図５から図８で示すように正面視において該下フレーム３１，３１の上方に後述する前記背受４、前記腰受５を回動可能に背受軸４６、腰受軸５６で軸着するためのボトム背受支持３４，３４、ボトム腰受支持３５，３５を、また、前記脚受６を脚ローラー６５，６５で転動可能にした溝３６ａ，３６ａを備えたボトム脚受支持３６，３６をそれぞれ平行に固着している。そして、該下ツナギ３２の略中央に、後述する伸縮固定手段１０を取り付けるための伸縮固定手段支持３７，３７を固着している。また、図５から図９で示すように下切替ピン３８を該伸縮固定手段支持３７，３７に挿通し、該下フレーム３１，３１の側面に接するように配設して固着している。
【００１５】
背受４について説明する。
図４に示すように平面視において略逆コ字状に屈曲した背受フレーム４１の内側に背受ツナギ４２，４２を、外側に背受支持４３，４３及び図９で示すように略凹字状の上切替ピン４４をそれぞれ配設して固着している。また、図９で示すように該背受ツナギ４２，４２の略中央部には後述する前記伸縮固定手段１０を取り付ける略凹字状の背受支点ブラケット４５を固着している。
【００１６】
腰受５について説明する。
図４に示すように平面視において上下方向に平行に配設した腰受フレーム５１，５１と該腰受フレーム５１，５１の端部と接し、左右方向に平行に配設した腰受ツナギ５２，５２を固着している。なお、該腰受ツナギ５２，５２の先端には前記サイドレール９を回動自在に枢着するためにボス部材が固着されるが、本実施例では省略するものとする。そして、図５から図９で示すように正面視において該腰受フレーム５１，５１の中央付近に前記ボトム腰受支持３５，３５と前記腰受軸５６で軸着する腰受支持５３，５３を固着している。また、図９で示すように一端側の腰受ツナギ５２の略中央にはL字状、且つ、後述する切替ローラー１１７，１１７が転動するための溝５４ａ，５４ａを備えた腰受カムプレート５４，５４を、他端側の腰受ツナギ５２の略中央部には後述する脚受ツナギ支持６３，６３と脚受軸６７で軸着するための腰受ツナギ支持５５，５５を配設して固着している。
【００１７】
脚受６について説明する。
図４に示すように平面視において略逆コ字状に屈曲した脚受フレーム６１の内側に脚受ツナギ６２を、外側に前記脚受ツナギ支持６３をそれぞれ配設して固着している。また、図９で示すように該脚受ツナギ６２の略中央部には逆凹字状の脚受ブラケット６４，６４を固着している。
【００１８】
伸縮固定手段１０について説明する。
図２から図９に示すように本実施例では、伸縮固定手段１０としてガスシリンダーを用いており、適宜操作することで伸縮可能、且つ、適所で固定可能となっている。
【００１９】
切替部１１について説明する。
図４に示すように上下方向に平行に配設した切替フレーム１１１，１１１に、左右方向に平行に配設した切替ツナギボス１１２及び切替軸１１３を挿通して固着している。また、図９に示すように該切替フレーム１１１，１１１の側面に切替支持１１４，１１４を平行に固着している。そして、図４に示すように平面視において略L字状の切替ハンドル１１５を切替プレート１１６に挿通し、該切替ツナギボス１１２に該切替ハンドル１１５を挿通し、回動可能に軸着している。
【００２０】
ボトムフレーム３と背受４と腰受５と脚受６と伸縮固定手段１０と切替部１１の組み合わせについて説明する。
図４から図９に示すように該ボトムフレーム３の前記伸縮固定手段支持３７に該伸縮手段１０の一端を伸縮固定手段支点ピン１０１で軸着し、他端を前記背受支点ブラケット４５に背受支点ピン１０２で軸着している。そして、該背受支点ブラケット４５の該伸縮固定手段１０の近傍にレバー１０３をレバー支点ピン１０４で軸着し、該レバー１０３を介助者などが手などで把持しながら回動操作することで該伸縮固定手段１０が伸縮作動するようになっている。
次に、前記ボトム背受支持３４，３４の間に前記背受支持４３，４３を、該背受支持４３，４３の間に前記切替支持１１４，１１４を配設し、前記背受軸４６で回動可能に軸着している。そして、前記切替ローラー１１７，１１７を前記切替軸１１３，１１３に挿通して軸着し、前記腰受カムプレート５４，５４の溝５４ａ，５４ａ内を該切替ローラー１１７，１１７が転動可能に配設している。さらに、前記ボトム腰受支持３５，３５に前記腰受支持５３，５３を前記腰受軸５６で、前記腰受ツナギ支持５５，５５と前記脚受ツナギ支持６３，６３を前記脚受軸６７で、それぞれ回動可能に軸着している。また、前記脚受ブラケット６４，６４の間に前記ボトム脚受支持３６，３６を配設し、該ボトム脚受支持３６，３６の溝３６ａ，３６ａ内に前記脚ローラー６５，６５を転動可能に配設し、脚ローラー支持ピン６６，６６で軸着している。
【００２１】
操作方法について説明する。
まず、背受４と腰受５と脚受６の非連動の場合を説明する。
図５から図６に示すように前記下切替ピン３８が前記切替プレート１１６の非連動溝１１６ａと係合するように、前記切替ハンドル１１５を正面視において反時計回りに回動させる。
そして、前記伸縮固定手段１０の前記レバー１０３を手などで把持して正面視において反時計回りに回動することで該伸縮固定手段１０の先端を該レバー１０３の一端で押圧することにより該伸縮固定手段１０が伸びることによって、該背受４が前記背受軸４６を回動の中心として正面視において反時計周りに回動することで該背受４が起こされる。また、該背受４を起こした状態から元の状態に戻す時は、該レバー１０３を手などで把持して正面視において時計回りに回動することで、該伸縮固定手段１０の先端を該レバー１０３の一端で押圧することにより該伸縮固定手段１０が縮むことによって、該背受４が該背受軸４６を回動の中心として、正面視において時計周りに回動することで該背受４を元の状態に戻すことが可能となる。このとき、図５から図６に示すように前記ボトムフレーム３に固着された該下切替ピン３８に該切替プレート１１６の該非連動溝１１６ａが係合することによって該切替部１１が該背受４に合わせて反時計回りに回動しないようにしている。よって、該切替部１１の前記切替ローラー１１７，１１７が前記腰受カムプレート５４，５４の前記溝５４ａ，５４ａを転動しないため、該腰受５が該切替部１１によって押圧されることが無いため、前記腰受軸５６を中心として該腰受５が回動しないようにしている。該脚受６は該腰受５と連動するので、該腰受５が回動しない限りは動作することがないようにしている。
つまり、該下切替ピン３８と該切替プレート１１６の該非連動溝１１６ａを係合することで、該背受４と該腰受５と該脚受６は連動せず、該背受４のみ単独で起こすことを可能としている。
【００２２】
次に、背受４と腰受５と脚受６の連動の場合を説明する。
図７から図９に示すように前記上切替ピン４４が前記切替プレート１１６の連動溝１１６ｂと係合するように、前記切替ハンドル１１５を正面視において時計回りに回動させる。そして、前記伸縮固定手段１０の前記レバー１０３を把持して正面視において反時計回りに回動操作することで該伸縮固定手段１０の一端を該レバー１０３の一端で押圧することにより該伸縮固定手段１０が伸びることによって、該背受４と前記切替部１１が前記背受軸４６を回動の中心として正面視において反時計周りに回動することで、該背受４が起こされる。
このとき、図８に示すように前記背受フレーム４１に固着された該上切替ピン４４に該切替プレート１１６の該連動溝１１６ｂが係合することによって該切替部１１が該背受４に合わせて該背受軸４６を回動の中心として反時計回りに回動することで前記切替フレーム１１１，１１１の一端側に配設した前記切替ローラー１１７，１１７が前記腰受カムプレート５４，５４の前記溝５４ａ，５４ａ内を転動しながら反時計回りに押圧することによって、該腰受５が前記腰受軸５６を回動の中心として時計回りに回動して正面視において左上がりに起こされる。また、前記脚受軸６７で該腰受５と軸着した該脚受６も該腰受５の回動に連動して前記脚ローラー６５，６５が前記ボトム脚受支持３６，３６の前記溝３６ａ，３６ａ内を正面視において右方向に転動することによって、前記脚受６が前記腰受５と連動して右上がりに起こされる。
つまり、該上切替ピン４４と該切替プレート１１６の該連動溝１１６ｂを係合することで、該背受４と該腰受５と該脚受６が連動して、該背受４を起こすのと同時に該腰受５と該脚受６を連動して起こすことを可能としている。
【００２３】
以上説明したように、本実施例によれば、前記背受４と前記腰受５と前記脚受６の連動及び非連動機構の切り替えを、前記切替ハンドル１１５の回動操作ひとつで簡単に行うことが可能となっている。
また、該背受４と該腰受５と該脚受６の連動及び非連動の切り替えをしてしまえば、前記レバー１０３を手などで把持しながら該背受４を起こす動作もしくは下げる動作のみなので、何種類もボタンが設けられているリモコン等で最適なボタンを選択して操作する煩わしさも無いものとすることができる。
【実施例２】
【００２４】
また、本発明では前記切替ハンドル１１５で前記切替プレート１１６の前記非連動溝１１６ａもしくは前記連動溝１１６ｂを前記上切替ピン４４もしくは前記下切替ピン３８に係合させたときに、容易に外れ難いようにすることが可能である。
図１０に示すように該切替プレート１１６にスプリングピン１１８を軸着し、該スプリングピン１１８に挿通可能な円弧を構成した背面視において略逆L字状に屈曲したロックスプリング１１９を挿通し、該切替プレート１１６と該切替プレート１１６に固着したスプリング支持１２０の間に該ロックスプリング１１９を嵌合している。
なお、該ロックスプリング１１９の両端は円弧状１１９ａ，１１９ａに丸めており、前記非連動溝１１６ａもしくは前記連動溝１１６ｂと前記上切替ピン４４もしくは前記下切替ピン３８が係合する途中に位置するよう配設している。
このように構成することにより、図１０（ｂ）に示すように該上切替ピン４４と該非連動溝１１６ｂの係合しようとする際には、該切替ハンドル１１５を回動操作することで該ロックスプリング１１９の円弧状１１９ａの一端を該上切替ピン４４が押圧しながら係合するので、利用者などが操作感（クリック感）を感じることができる。
また、図１０（ｃ）に示すように該上切替ピン４４と該非連動溝１１６ｂが係合した際には、該ロックスプリング１１９が張力により元の状態に戻るので該ロックスプリング１１９の円弧状１１９ａの一端がストッパーの役目となり容易に外れ難くすることが可能となる。
【図面の簡単な説明】
【００２５】
【図１】背受と腰受と脚受の連動及び非連動機構を備えたストレッチャーの全体平面図
【図２】背受と腰受と脚受の連動及び非連動機構を備えたストレッチャーの全体正面図
【図３】背受と腰受と脚受の連動及び非連動機構を備えたストレッチャーの全体側面図
【図４】背受と腰受と脚受の連動及び非連動機構を説明するための要部平面図
【図５】背受と腰受と脚受の非連動切替えを説明するための要部正面図
【図６】背受と腰受と脚受の非連動時の状態を説明するための要部正面図
【図７】背受と腰受と脚受の連動切替えを説明するための要部正面図
【図８】背受と腰受と脚受の連動時の状態を説明するための要部平面図
【図９】背受と腰受と脚受の連動時の状態を説明するための要部斜視図
【図１０】切替プレートにスプリングを備えた時の上切替ピンとの切替プレートの連動溝との（ａ）係合状態を示す要部側面図（ｂ）係合を始める状態を示す要部背面図（ｃ）係合状態を示す要部背面図
【符号の説明】
【００２６】
１    下部フレーム
２    昇降機構
３    ボトムフレーム
４    背受
５    腰受
６    脚受
７    ボトムボード
８    マット
９    サイドレール
１０  伸縮固定手段
１１  切替部
Ｓ    ストレッチャー
【図１】
2015061561.tif 000003
【図２】
2015061561.tif 000004
【図３】
2015061561.tif 000005
【図４】
2015061561.tif 000006
【図５】
2015061561.tif 000007
【図６】
2015061561.tif 000008
【図７】
2015061561.tif 000009
【図８】
2015061561.tif 000010
【図９】
2015061561.tif 000011
【図１０】
2015061561.tif 000012